【事件の表示】
　特許第３２３６５９０号「紙葉細断装置」の請求項１ないし５に係る特許に対する特許異議の申立てについて、次のとおり決定する。
【結　論】
　訂正を認める。
　特許第３２３６５９０号の請求項１ないし３に係る特許を取り消す。
【理　由】
１．手続の経緯
　特許３２３６５９０号の請求項１ないし５に係る発明についての出願は、平成１１年１１月１７日に特許出願され、平成１３年９月２８日にその発明について特許権の設定登録がなされ、その後、その全請求項に係る発明の特許に対して、申立人ナカバヤシ株式会社より特許異議の申立てがなされ、平成１４年８月２２日付けで取消しの理由が通知され、その指定期間内である平成１４年１１月１日に訂正請求がなされたものである。
　
２．訂正の適否についての判断
（１）訂正の内容
ア．訂正事項ａ
　特許請求の範囲の請求項１中の「斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記斜め方向に対し上側に配設されていることを特徴とする紙葉細断装置。」を「斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記斜め方向に対し上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されていることを特徴とする紙葉細断装置。」と訂正する。
イ．訂正事項ｂ
　特許請求の範囲の請求項２中の「斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記一対のカッタローラにより切断された紙葉類が排出される切断排出口の上側に配設されていることを特徴とする紙葉細断装置。」を「斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記一対のカッタローラにより切断された紙葉類が排出される切断排出口の上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されていることを特徴とする紙葉細断装置。」と訂正する。
ウ．訂正事項ｃ
　特許請求の範囲の請求項４及び請求項５を削除する。
エ．訂正事項ｄ
　明細書の段落【００１２】中の「前記フラットカッタは、前記斜め方向に対し上側に配設されていることを特徴とする。」を「前記フラットカッタは、前記斜め方向に対し上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されていることを特徴とすることを特徴とする。」と訂正する。
オ．訂正事項ｅ
　明細書の段落【００１３】中の「前記フラットカッタは、前記一対のカッタローラにより切断された紙葉類が排出される切断排出口の上側に配設されていることを特徴とする。」を「前記フラットカッタは、前記一対のカッタローラにより切断された紙葉類が排出される切断排出口の上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されていることを特徴とすることを特徴とする。」と訂正する。　
カ．訂正事項ｆ
　明細書の段落【００１５】及び【００１６】の記載を削除する。
　
（２）訂正の目的の適否、新規事項の有無及び拡張・変更の存否
  上記訂正事項ａ、ｂは、特許請求の範囲の請求項１、２に対して、「スパイラルカッタは、フラットカッタとともに紙用類を裁断するように斜め方向に対し下側から上側に向かって回転（する）」発明特定事項、請求項４及び５の発明特定事項である「スパイラルカッタは、一対のカッタローラにより切断された紙葉類がスパイラルカッタの刃と刃の間に形成される凹状のポケット部によって受けられるように配設（した）」発明特定事項、及び「スパイラルカッタは、一対のカッタローラと連動して、正転方向に回転可能であるが逆転方向には回転不能に配設されている」発明特定事項を新たに追加するものであるから、特許請求の範囲の減縮を目的とする明細書の訂正に該当する。さらに、「スパイラルカッタは、フラットカッタとともに紙用類を裁断するように斜め方向に対し下側から上側に向かって回転（する）」点は、例えば図２の記載から当業者にとって、直接的かつ一義的に導き出せる事項である。よって、訂正事項ａ、ｂは、新規事項の追加に該当せず、さらに、本件発明の課題に影響を及ぼすものではないから、実質上、特許請求の範囲を拡張又は変更するものでもない。
  上記訂正事項ｃは、請求項４、５を削除するものであるから、特許請求の範囲の減縮を目的とする明細書の訂正に該当するものであり、新規事項の追加に該当せず、さらに、本件発明の課題に影響を及ぼすものではないから、実質上、特許請求の範囲を拡張又は変更するものでもない。
　上記訂正事項ｄ、ｅ、ｆは、上記訂正事項ａ、ｂ、ｃにおける特許請求の範囲の請求項の訂正と整合させて、明確化を図るためのものであるから、明りょうでない記載の釈明を目的とする明細書の訂正に該当する。
　そして、訂正事項ｄ、ｅ、ｆは、いずれも新規事項の追加に該当せず、本件発明の課題に影響を及ぼすものではないから、実質上、特許請求の範囲を拡張又は変更するものでもない。
　
（３）むすび
　以上のとおりであるから、上記訂正は、特許法第１２０条の４第２項および同条第３項において準用する同法第１２６条第２項及び第３項の規定に適合するので、当該訂正を認める。
　
３．特許異議申立てについての判断
（１）本件発明
　上記２．で示したように、訂正が認められるから、本件の請求項１、２及び３に係る発明（以下、「本件発明１、２及び３」という。）は、上記訂正に係る訂正明細書の特許請求の範囲の請求項１ないし３に記載した事項により特定される以下のとおりのものである。
「【請求項１】斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記斜め方向に対し上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、
　前記スパイラルカッタは、前記一対のカッタローラと連動して、正転方向に回転可能であるが逆転方向には回転不能に配設されていることを特徴とする紙葉細断装置。
【請求項２】斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記フラットカッタは、前記一対のカッタローラにより切断された紙葉類が排出される切断排出口の上側に配設され、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されていることを特徴とする紙葉細断装置。
【請求項３】前記スパイラルカッタは、前記スパイラルカッタから前記フラットカッタに向かう方向に回転するように配設されていることを特徴とする請求項１または請求項２のいずれか１項に記載の紙葉細断装置。」
　
（２）当審が通知した取消しの理由で引用した刊行物
　刊行物１：特開平１１−１６９７３７号公報
　刊行物２：特開平２−５２０５２号公報
　
（３）各刊行物記載の発明
ア．刊行物１には、以下の事項が記載されている。
ａ．「【発明の属する技術分野】本発明は、廃棄用紙などを細断するシュレッダーの改良に関し、更に詳細には横切り細断部の寿命が延びるようにしたシュレッダーに関する。」（段落【０００１】）
ｂ．「図５において、１２は廃棄用紙Ｐなどを細断するためのシュレッダーである。・・・該上部空間部１３には、複数の縦切り用ディスク状カッターＡからなる一対のカッターブロック１６，１６を組み合わせてなる縦切り細断部が設けられている。該カッターブロック１６，１６の下方には横切り用回転カッター１８及び横切り用固定カッター１７からなる横切り細断部が設けられている。該縦切り細断部及び横切り細断部によって細断部２０が構成されている。」（段落【００１５】、【００１６】）
ｃ．「横切り用回転カッター１８としてはスパイラル状の切断刃を備えた回転カッターを用い、横切り用固定カッター１７としてはフラットカッターを用いた場合が図示されている。」（段落【００１９】）
ｄ．「図２に示されるように、前記した複数の縦切り用ディスク状カッターＡからなるカッターブロック１６は駆動軸１９に回転可能に取りつけられ、該駆動軸１９の一端部には駆動ギヤ２１が固着されている。また、スパイラル状回転カッター１８は駆動軸２３に回転可能に設けられ、該駆動軸２３の一端部には小ギヤ２５が取りつけられ、かつ該小ギヤの外側の駆動軸２３の端部の駆動部には逆転防止手段、例えば、カムクラッチ２７が取りつけられている。該カムクラッチ２７は正回転しかしないように作動する。・・・該逆転防止手段は該横切り用回転カッター１８の逆転を防止すればよいもので、上記した正方向にしか回転しないように作動するカムクラッチ２７の他に、その他の公知の手段として、ワンウェイクラッチ等を適用して同様の機能を達成することもできる。」（段落【００２０】、【００２１】）
　そして、図１及び図５から、「斜め方向に形成された投入口」が設けられ、「一対のカッターブロック１６，１６が、投入口の斜め方向の上下に各々配設されている」こと、「横切り用固定カッター１７が、投入口の斜め方向に対し下側、又は、一対のカッターブロック１６，１６により切断された廃棄用紙Ｐが排出される切断排出口の下側に配設されている」こと、及び、「横切り用回転カッター１８の刃と刃の間に、切断された廃棄用紙Ｐを受けることが可能である凹状をなす部分が形成されている」こと、および「横切り用回転カッター１８が投入口の斜め方向に対して上側から下側に向かって回転する」ことが看取できる。
　してみると、刊行物１には、「斜め方向に形成された投入口から投入された廃棄用紙Ｐを縦方向に細断する前記斜め方向の上下に各々配設された一対のカッターブロック１６，１６と、スパイラル状の切断刃を備えた回転カッターからなる横切り用回転カッター１８と、前記横切り用回転カッター１８と対向して配設され、前記カッターブロック１６，１６で細断された廃棄用紙Ｐを前記横切り用回転カッター１８とともに横方向に細断するフラットカッターからなる横切り用固定カッター１７と、を備え、前記横切り用固定カッター１７は、前記斜め方向に対し下側に配設されており、前記横切り用回転カッター１８は、横切り用固定カッタ１７とともに廃棄用紙Ｐを裁断するように、前記横切り用回転カッター１８から前記横切り用固定カッター１７に向かう方向、かつ横切り用回転カッター１８が投入口の斜め方向に対して上側から下側に向かって回転するように配設されており、前記横切り用回転カッター１８は、前記一対のカッターブロック１６，１６により切断された廃棄用紙Ｐが前記横切り用回転カッター１８の刃と刃の間に形成される凹状をなす部分によって受けられるように配設されており、前記横切り用回転カッター１８は、前記一対のカッターブロック１６，１６と連動して、 正転方向に回転可能であるが逆転方向には回転不能に配設されている廃棄用紙Ｐを細断するシュレッダー。」という発明（以下、「刊行物１記載の発明Ａ」という。）
　
　および、「斜め方向に形成された投入口から投入された廃棄用紙Ｐを縦方向に細断する一対のカッターブロック１６，１６と、スパイラル状の切断刃を備えた回転カッターからなる横切り用回転カッター１８と、前記横切り用回転カッター１８と対向して配設され、前記カッターブロック１６，１６で細断された廃棄用紙Ｐを前記横切り用回転カッター１８とともに横方向に細断するフラットカッターからなる横切り用固定カッター１７と、を備え、前記横切り用固定カッター１７は、前記一対のカッターブロック１６，１６により切断された廃棄用紙Ｐが排出される切断排出口の下側に配設されており、前記横切り用回転カッター１８は、横切り用固定カッター１７とともに廃棄用紙Ｐを裁断するように、前記横切り用回転カッター１８から前記横切り用固定カッター１７に向かう方向、かつ横切り用回転カッター１８が投入口の斜め方向に対して上側から下側に向かって回転するように配設されており、前記横切り用回転カッター１８は、前記一対のカッターブロック１６，１６により切断された廃棄用紙Ｐが前記横切り用回転カッター１８の刃と刃の間に形成される凹状をなす部分によって受けられるように配設されており、前記横切り用回転カッター１８は、前記一対のカッターブロック１６，１６と連動して、 正転方向に回転可能であるが逆転方向には回転不能に配設されている廃棄用紙Ｐを細断するシュレッダー。」という発明（以下、「刊行物１記載の発明Ｂ」という。）
が記載されているものと認められる。
　
イ．刊行物２には、以下の事項が記載されている。
ｅ．「産業上の利用分野　本発明は、書類を解読不可能に細かく細断するための書類細断機に関する。」（第１頁左下欄第１３〜１５行）
ｆ．「回転カッター１が矢印Ａ方向に回転するときは、螺旋状の刃１０と固定カッター１７とにより細断され、矢印Ｂ方向に回転するときは、螺旋状に刃１１と固定カッター１６により細断される。」（第２頁右下欄末行〜第３頁左上欄第４行）
　
（４）対比・判断　
ア．本件発明１について
　本件発明１と刊行物１記載の発明Ａとを対比すると、後者の「廃棄用紙Ｐ」は前者の「紙葉類」に相当し、以下同様に、「一対のカッターブロック１６，１６」は「一対のカッタローラ」に、「スパイラル状の切断刃を備えた回転カッターからなる横切り用回転カッター１８」は「回転軸の回りに螺旋状に形成されたスパイラルカッタ」に、「フラットカッターからなる横切り用固定カッター１７」は「フラットカッタ」に、「凹状をなす部分」は、「凹状のポケット部」に、「廃棄用紙Ｐを細断するシュレッダー」は「紙葉細断装置」に、それぞれ相当すると認められる。
　してみると、両者の一致点及び相違点は以下のとおりである。
【一致点】
　斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記スパイラルカッタは、前記一対のカッタローラにより切断された紙葉類が前記スパイラルカッタの刃と刃の間に形成される凹状のポケット部によって受けられるように配設されており、
　前記スパイラルカッタは、前記一対のカッタローラと連動して、正転方向に回転可能であるが逆転方向には回転不能に配設されていることを特徴とする紙葉細断装置。　
【相違点】
 　フラットカッタの配設構成について、本件発明１は、「フラットカッタは、斜め方向に対し上側に配設され、スパイラルカッタは、フラットカッタとともに紙葉類を裁断するように前記斜め方向に対し下側から上側に向かって回転」するのに対し、刊行物１記載の発明は、「フラットカッタは、前記斜め方向に対し下側に配設され、スパイラルカッタは、フラットカッタとともに紙葉類を裁断するように前記斜め方向に対し上側から下側に向かって回転」する点。（以下、「相違点Ａ」という。）
　
　そこで、上記相違点Ａについて検討すると、
　刊行物２には、スパイラルカッタとフラットカッタとを用いて紙葉類を細断するに際し、スパイラルカッタを矢印Ａ方向（以下、「正回転」という。）に回転させて紙葉類を細断する技術的事項、及びスパイラルカッタを矢印Ｂ方向（以下、「逆回転」という。）の適宜いずれの回転方向にも回転させて紙葉類を細断する技術的事項が記載されている（刊行物２の摘記事項ｆ参照）。また、フラットカッタの配設位置が、スパイラルカッタとともに紙葉類を裁断し得るように、紙葉類の送り方向とスパイラルカッタの回転方向に基づいて設定され得るものであることも、刊行物２の上記摘記事項ｆの記載内容及び技術常識に照らして明らかである。
　そして、上記刊行物２に記載された技術的事項は、上記刊行物１記載の発明と共通する「スパイラルカッタとフラットカッタとを有する紙葉細断装置」の技術分野に属するものであるから、刊行物１記載の発明において、上記刊行物２に記載された技術的事項を考慮して、スパイラルカッタを「正回転」で回転するものに代えて、「逆回転」で回転するものを採用し、その際、紙葉類の送り方向とスパイラルカッタの回転方向を考慮して、フラットカッタを投入口の斜め方向に対して下側に配設するのに代えて上側に配設する点には、格別の困難性は認められず、また、そのような構成を採用し得ないとする特段の事情も見当たらない。その際、スパイラルカッタが、斜め方向に対し上側から下側に向かって回転していたものが、下側から上側に向かって回転するようになる点は、そもそも、スパイラルカッタの回転方向が刊行物１記載の発明Ａのものと逆となるのであるから、当業者にとって自明な事項である。
　そして、本件発明１の奏する作用効果は、刊行物１記載の発明Ａ、及び刊行物２に記載された技術的事項から、当業者であれば予測することができる程度のものであって格別なものとはいえない。
　したがって、本件発明１は、刊行物１及び２に記載の発明に基づいて、当業者が容易になし得たものと認める。
イ．本件発明２について
　本件発明２と刊行物１記載の発明Ｂとを対比すると、後者の「廃棄用紙Ｐ」は前者の「紙葉類」に相当し、以下同様に、「一対のカッターブロック１６，１６」は「一対のカッタローラ」に、「スパイラル状の切断刃を備えた回転カッターからなる横切り用回転カッター１８」は「回転軸の回りに螺旋状に形成されたスパイラルカッタ」に、「フラットカッターからなる横切り用固定カッター１７」は「フラットカッタ」に、「凹状をなす部分」は「凹状のポケット部」に、「廃棄用紙Ｐを細断するシュレッダー」は「紙葉細断装置」に、それぞれ相当すると認められる。
　してみると、両者の一致点及び相違点は以下のとおりである。
【一致点】
　斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、
　前記スパイラルカッタは、前記一対のカッタローラにより切断された紙葉類が前記スパイラルカッタの刃と刃の間に形成される凹状のポケット部によって受けられるように配設されており、
　前記スパイラルカッタは、前記一対のカッタローラと連動して、正転方向に回転可能であるが逆転方向には回転不能に配設されていることを特徴とする紙葉細断装置。　
【相違点】
  フラットカッタの配設構成について、本件発明１は、「フラットカッタは、一対のカッタローラにより切断された紙葉類が排出される切断排出口の上側に配設され、スパイラルカッタは、フラットカッタとともに紙葉類を裁断するように前記斜め方向に対し下側から上側に向かって回転」するのに対し、刊行物１記載の発明は、「フラットカッタは、一対のカッタローラにより切断された紙葉類が排出される切断排出口の下側に配設され、スパイラルカッタは、フラットカッタとともに紙葉類を裁断するように前記斜め方向に対し上側から下側に向かって回転」する点。（以下、「相違点Ｂ」という。）
　
　そこで、上記相違点Ｂについて検討すると、
　刊行物２には、スパイラルカッタとフラットカッタとを用いて紙葉類を細断するに際し、スパイラルカッタを矢印Ａ方向（以下、「正回転」という。）に回転させて紙葉類を細断する技術的事項、及びスパイラルカッタを矢印Ｂ方向（以下、「逆回転」という。）の適宜いずれの回転方向にも回転させて紙葉類を細断する技術的事項が記載されている（刊行物２の摘記事項ｆ参照）。また、フラットカッタの配設位置が、スパイラルカッタとともに紙葉類を裁断し得るように、紙葉類の送り方向とスパイラルカッタの回転方向に基づいて設定され得るものであることも、刊行物２の上記摘記事項ｆの記載内容及び技術常識に照らして明らかである。
　そして、上記刊行物２に記載された技術的事項は、上記刊行物１記載の発明と共通する「スパイラルカッタとフラットカッタとを有する紙葉細断装置」の技術分野に属するものであるから、刊行物１記載の発明において、上記刊行物２に記載された技術的事項を考慮して、スパイラルカッタを「正回転」で回転するものに代えて、「逆回転」で回転するものを採用し、その際、紙葉類の送り方向とスパイラルカッタの回転方向を考慮して、フラットカッタを一対のカッタローラにより切断された紙葉類が排出される切断排出口の下側に配設するのに代えて上側に配設する点には、格別の困難性は認められず、また、そのような構成を採用し得ないとする特段の事情も見当たらない。その際、スパイラルカッタが、斜め方向に対し上側から下側に向かって回転していたものが、下側から上側に向かって回転するようになる点は、そもそも、スパイラルカッタの回転方向が刊行物１のものと逆となるのであるから、当業者にとって自明な事項である。
　そして、本件発明１の奏する作用効果は、刊行物１記載の発明Ｂ、及び刊行物２に記載された技術的事項から、当業者であれば予測することができる程度のものであって格別なものとはいえない。
　したがって、本件発明２は、刊行物１及び２に記載の発明に基づいて、当業者が容易になし得たものと認める。
ウ．本件発明３について
　本件発明３は、本件発明１又は２を特定する事項に、「スパイラルカッタは、前記スパイラルカッタから、前記フラットカッタに向かう方向に回転するように配設されている」事項（以下、「事項Ａ」という。）をさらに加えて発明を特定するものであるが、この事項Ａは、刊行物１に記載された発明が既に具備するところの事項である。すると、結局、本件発明３と、刊行物１に記載の発明との相違点は、本件発明１と刊行物１記載の発明との相違点である相違点Ａまたは、本件発明２と刊行物１記載の発明との相違点である相違点Ｂとなるが、相違点Ａ、相違点Ｂについては既に検討済みである。
　したがって、本件発明３は、刊行物１及び２に記載の発明に基づいて、当業者が容易になし得たものと認める。
　
（５）むすび
　したがって、本件発明１ないし３は、刊行物１及び２に記載の発明に基づいて当業者が容易になし得たものであるから、本件発明１ないし３についての特許は、特許法第２９条第２項の規定に違反してなされたものであり、特許法第１１３条第２号に該当するから、取り消されるべきものである。
　よって、結論のとおり決定する。
【異議決定日】
平成１４年１２月１１日（２００２．１２．１１）
【訂正の要旨】
　▲１▼　訂正事項Ａ
　特許第３２３６５９０号の明細書における「特許請求の範囲」の請求項１及び２を下記の通り訂正し、請求項４及び請求項５を削除する。
　請求項１：『斜め方向に形成された投入口から投入された紙葉類を縦方向に細断する前記斜め方向の上下に各々配設された一対のカッタローラと、
　回転軸の回りに螺旋状に形成されたスパイラルカッタと、
　前記スパイラルカッタと対向して配設され、前記カッタローラで細断された紙葉類を前記スパイラルカッタとともに横方向に細断するフラットカッタと、
を備え、
　前記フラットカッタは、前記斜め方向に対し上側に配設され
、前記スパイラルカッタは、前記フラットカッタとともに紙用類を裁断するように前記斜め方向に対し下側から上側に向かって回転し、
　
前記スパイラルカッタは、前記一対のカッタローラにより切断された紙葉類が前記スパイラルカッタの刃と刃の間に形成される凹状のポケット部によって受けられるように配設されており、
　前記スパイラルカッタは、前記一対のカッタローラと連動して、正転方向に回転可能であるが逆転方向には回転不能に配設されている
　請求項２：『斜め方向に形成された投入口から投入された紙葉類を縦方向に細断する一対のカッタローラと、
　回転軸の回りに螺旋状に形成されたスパイラルカッタと、
　前記スパイラルカッタと対向して配設され、前記カッタローラで細断された紙葉類を前記スパイラルカッタとともに横方向に細断するフラットカッタと、
を備え、
　前記フラットカッタは、前記一対のカッタローラにより切断された紙葉類が排出される切断排出口の上側に配設され
、前記スパイラルカッタは、前記フラットカッタとともに紙用類を裁断するように前記斜め方向に対し下側から上側に向かって回転し、
　
前記スパイラルカッタは、前記一対のカッタローラにより切断された紙葉類が前記スパイラルカッタの刃と刃の間に形成される凹状のポケット部によって受けられるように配設されており、
　
前記スパイラルカッタは、前記一対のカッタローラと連動して、正転方向に回転可能であるが逆転方向には回転不能に配設されている
ことを特徴とする紙葉細断装置。』
　▲２▼　訂正事項Ｂ
　特許第３２３６５９０号の明細書における「発明の詳細な説明」の段落番号「００１２」及び「００１３」を下記のように訂正し、「００１５」及び「００１６」を削除する。
　「００１２」：
　【課題を解決するための手段】
　上記目的を達成するために、本願発明の紙葉細断装置は、斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、前記フラットカッタは、前記斜め方向に対し上側に配設され
、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されている
　「００１３」：
　また、斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、前記フラットカッタは、前記一対のカッタローラにより切断された紙葉類が排出される切断排出口の上側に配設され
、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されている
　「００１５」：
削除
　「００１６」：
削除
（５４）【発明の名称】
紙葉細断装置
（５７）【特許請求の範囲】
　【請求項１】
　斜め方向に形成された投入口から投入された紙葉類を縦方向に細断する前記斜め方向の上下に各々配設された一対のカッタローラと、
　回転軸の回りに螺旋状に形成されたスパイラルカッタと、
　前記スパイラルカッタと対向して配設され、前記カッタローラで細断された紙葉類を前記スパイラルカッタとともに横方向に細断するフラットカッタと、
を備え、
　前記フラットカッタは、前記斜め方向に対し上側に配設され
、前記スパイラルカッタは、前記フラットカッタとともに紙用類を裁断するように前記斜め方向に対し下側から上側に向かって回転し、
　
前記スパイラルカッタは、前記一対のカッタローラにより切断された紙葉類が前記スパイラルカッタの刃と刃の間に形成される凹状のポケット部によって受けられるように配設されており、
　
前記スパイラルカッタは、前記一対のカッタローラと連動して、正転方向に回転可能であるが逆転方向には回転不能に配設されている
ことを特徴とする紙葉細断装置。
　【請求項２】
　斜め方向に形成された投入口から投入された紙葉類を縦方向に細断する一対のカッタローラと、
　回転軸の回りに螺旋状に形成されたスパイラルカッタと、
　前記スパイラルカッタと対向して配設され、前記カッタローラで細断された紙葉類を前記スパイラルカッタとともに横方向に細断するフラットカッタと、
を備え、
　前記フラットカッタは、前記一対のカッタローラにより切断された紙葉類が排出される切断排出口の上側に配設され
、前記スパイラルカッタは、前記フラットカッタとともに紙用類を裁断するように前記斜め方向に対し下側から上側に向かって回転し、
　
前記スパイラルカッタは、前記一対のカッタローラにより切断された紙葉類が前記スパイラルカッタの刃と刃の間に形成される凹状のポケット部によって受けられるように配設されており、
　
前記スパイラルカッタは、前記一対のカッタローラと連動して、正転方向に回転可能であるが逆転方向には回転不能に配設されている
ことを特徴とする紙葉細断装置。
　【請求項３】
　前記スパイラルカッタは、前記スパイラルカッタから前記フラットカッタに向かう方向に回転するように配設されていることを特徴とする請求項１または請求項２のいずれか１項に記載の紙葉細断装置。
【発明の詳細な説明】
　【０００１】
　【発明の属する技術分野】
　本発明は、廃棄書類等を細断する紙葉細断装置（シュレッダ）に係り、特にその切断刃に関する。
　【０００２】
　【従来の技術】
　紙葉細断装置は、廃棄する書類等の機密性を保持するため、この書類等を細断する装置である。
　【０００３】
　図５に示すように、一般的な紙葉細断装置は、互いに噛合する２個のカッタローラ３，４の刃の間に紙葉類を通過させてこの紙葉類を数ミリメートル幅の線状に縦方向に細断する。縦方向に細断されたものは、回転するスパイラルカッタ８と固定されたフラットカッタ９とによって、さらに横方向に細断される。
　【０００４】
　従来は、フラットカッタ９は、図５に示すように、スパイラルカッタ８の下側に配設されていた。
　【０００５】
　【発明が解決しようとする課題】
　フラットカッタ９がスパイラルカッタ８の下側に配設されていたので、従来は以下の問題があった。
　【０００６】
　２個のカッタローラ３，４で細長く切られた紙３０は、フラットカッタ９上を通過して、図６に示すように回転するスパイラルカッタ８の凹部状のポケット３１に差込まれ、スパイラルカッタ８とフラットカッタ９との間で切断され細断片３２となり、下方に排出される。
　【０００７】
　従来は、スパイラルカッタ９で切られた細片３２を直ぐに排出できるようにスパイラルカッタ９を回転させるために、フラットカッタ９をスパイラルカッタ８の下側に配置していた。フラットカッタ９の下方の利用可能な空間は種々の部品を設置する必要がある等のために小さい。このため、フラットカッタ９を固定するベ一ス部分３３やフレーム全体の肉厚を薄くせざるを得ず十分な強度剛性が得られず、この結果、スパイラルカッタ８とフラットカッタ９との間のギャツプを一定の間隔に維持することが難しくなっている。このために、スパイラルカッタ８とフラットカッタ９とによる切味の耐久性に問題があった。
　【０００８】
　また、従来は、図７に示すように、カッタローラ３，４とフラットカッタ９との間にカッタローラ３，４によって細断された細断片３２が詰まり、カッタローラ３，４の回転にブレーキを掛けるなどの問題もあった。
　【０００９】
　また、カッタローラ３，４で紙３０を細断してる間は、カッタローラ３，４によって紙３０をスパイラルカッタ８に送り込むカもあるが、紙３０の終わり部分がカッタローラ３，４から離れると紙３０はフラットカッタ９上に残ってしまい、装置の機械的振動等でフラットカッタ９上を縦横に移動する紙３０の紙片は、幾重にも重なってスパイラルカッタ８に切られたり、あるいは次に投入される紙３０と重なって一度に細断する枚数が部分的に増え、これを切断することから大きな振動を伴ってカッタ８、９の摩耗を早め、寿命を短くするなど装置全体に悪い影響を及ぼし、細断枚数を低下させる原因にもつながっていた。
　【００１０】
　また、カッタローラ３，４とスパイラルカッタ８は、機械的に連結され正転と逆転の両方ともに同期して回転するようになっていた。このため、スパイラルカッタ８のポケット３１に細断片３２が入っている状態で細断過負荷になると、細断片３２を引き抜くため逆転させる必要があるが、この場合、細断片３２がスパイラルカッタ８とフラットカッタ９の刃先に狭まり、カッターギヤツプを広げてしまい、切れ味を落とすという問題があった。
　【００１１】
　そこで、本発明の目的は、上記従来技術の有する問題を解消し、スパイラルカッタとフラットカッタとによる細断性能を高い耐久性で保持可能な紙葉細断装置を提供することである。
　【００１２】
　【課題を解決するための手段】
　上記目的を達成するために、本願発明の紙葉細断装置は、斜め方向に形成された投入口から投入された紙葉類を縦方向に細断する前記斜め方向の上下に各々配設された一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、前記フラットカッタは、前記斜め方向に対し上側に配設され
、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されている
　【００１３】
　また、斜め方向に形成された投入口から投入された紙葉類を縦方向に細断する一対のカッタローラと、回転軸の回りに螺旋状に形成されたスパイラルカッタと、前記スパイラルカッタと対向して配設され、前記カッタローラで細断された紙葉類を前記スパイラルカッタとともに横方向に細断するフラットカッタと、を備え、前記フラットカッタは、前記一対のカッタローラにより切断された紙葉類が排出される切断排出口の上側に配設され
、前記スパイラルカッタは、前記フラットカッタとともに紙用類を裁断するように前記斜め方向に対し下側から上側に向かって回転し、前記スパイラルカッタは、前記一対のカッタローラにより切断された紙葉類が前記スパイラルカッタの刃と刃の間に形成される凹状のポケット部によって受けられるように配設されており、前記スパイラルカッタは、前記一対のカッタローラと連動して、正転方向に回転可能であるが逆転方向には回転不能に配設されている
　【００１４】
　また、前記スパイラルカッタは、前記スパイラルカッタから前記フラットカッタに向かう方向に回転するように配設されていることを特徴とする。
　【００１５】
　【００１６】
　【００１７】
　上述の発明において、フラットカッタは、スパイラルカッタの上側に配設されているので、あるいはフラットカッタは、一対のカッタローラにより切断された紙葉類が排出される切断排出口の上側に配設されているので、種々の部品等を設置する必要のない空間にフラットカッタを固定するベ一ス部分等を設けることが可能になり、フラットカッタを固定するベ一ス部分等を十分な強度剛性を有するようにすることができる。
　【００１８】
　また、スパイラルカッタは、スパイラルカッタからフラットカッタに向かう方向に回転するように配設されているので、カッタローラによって細断された細断片は、カッタローラとフラットカッタとの間に紙片が詰まることをなくなり、細断中にブレーキが掛かるようなことを解消することができる。
　【００１９】
　スパイラルカッタは、一対のカッタローラにより切断された紙葉類がスパイラルカッタの刃と刃の間に形成される凹状のポケット部によって受けられるように配設されているとともにポケット部がスパイラルカッタからフラットカッタに向かう方向に回転するように配設されているので、スパイラルカッタとフラットカッタとによって切断された細断片は、紙葉類の終わり部分をフラットカッタ上に不自然に溜めることを無くすることができ、自然落下させてスパイラルカッタのポケットブ部に収納して排出することができ、この結果、無理に過負担な細断をすることがなくなりスパイラルカッタとフラットカッタへの負担を軽減することができる。
　【００２０】
　また、フラットカッタはカッタローラにより切断された紙葉類が排出される切断排出口の上方に配設されているので、フラットカッタ上に細断片が重なることを防止でき、フラットカッタ上に細断片が重なったままスパイラルカッタとフラットカッタとによって細断されることがなく、一度に細断する紙葉類枚数が部分的に増えたりして大きな振動を伴って細断することがなくなる。
　【００２１】
　また、スパイラルカッタは、一対のカッタローラと連動して、正転方向に回転可能であるが逆転方向には回転不能に配設されているので、スパイラルカッタが逆転することによって、スパイラルカッタのポケットに収納された細断片がスパイラルカッタとフラットカッタの刃先の間に挟まれてしまうことを防止でき、スパイラルカッタとフラットカッタのギャップを常に最適な状態に維持することができる。
　【００２２】
　【発明の実施の形態】
　以下に図面を参照して、本発明に係る紙葉細断装置の実施の形態について説明する。
　【００２３】
　図１に示すように、紙葉細断装置本体１の上面には細断する紙葉類を投入する投入口２が斜めに設けられており、投入口２下方部には２個のカッタローラ３，４が噛合するように設けられており、投入口２の後端部が丁度その噛合部に対向するようにされている。図８に示すように、カッタローラ３，４は回転軸５，６に等間隔に円盤状のカッタ刃が取り付けられたものである。
　【００２４】
　またこれらカッタローラ３，４の噛合部の下方位置には横方向カッタ装置７が設けられている。この横方向カッタ装置７は螺旋状の刃を有するスパイラルカッタ８とフラットカッタ９とから構成されている。図９に示すように、スパイラルカッタ８は軸１０に螺旋状のカッタ刃１１を設けたものである。また、フラットカッタ９は先端部に例えば断面三角形状等の形状のフラットカッタ刃を有している。
　【００２５】
　カッタローラ３，４とスパイラルカッタ８はモータ１３によって駆動回転される。モータ１３は数百ワット程度の出力を有する。モータ１３による駆動力はギア１２によってカッタローラ４と同軸に配設されたギア１４へ伝達されカッタローラ３，４が駆動される。また、ギア１４の回転はギア１４ａに伝達され、ギア１４ａと同軸に配設されたカッタローラ３が駆動される。
　【００２６】
　また、ギア１４ａの回転はギア１５に伝達され、ギア１５と同軸に配設されたスパイラルカッタ８の回転軸１０が回転駆動され、スパイラルカッタ８が駆動される。ここで、モータ１３が逆転した場合にスパイラルカッタ８は自動的には逆転されないようにモータ１３に連結されている。スパイラルカッタ８をこのように連結するために、例えば、回転軸１０には、ギア１５との間でワンウェイクラッチ２７が装着されている。回転軸１０にワンウェイクラッチ２７が装着されているために、モータ１３が正転するときには、カッタローラ３，４の回転と同期してスパイラルカッタ８も回転駆動されるが、モータ１３が逆転するときには、カッタローラ３，４のみが逆回転しスパイラルカッタ８が回転しないようにすることができる。
　【００２７】
　投入口２から紙葉類を投入すると入紙センサがこれを検出してモータ１３が自動的に起動される。これによりカッタローラ３，４およびスパイラルカッタ８が回転する。投入された紙葉類はカッタローラ３，４によって、例えば幅約３ｍｍ〜６ｍｍの線状に縦方向に細断される。線状に細断された紙葉類は横方向カッタ装置７内部に導かれ、さらに横方向に短く断裁される。断裁長さはスパイラルカッタ８の回転数によって規定されるが約１０ｍｍ〜３５ｍｍ程度である。このように細かく断裁された紙葉類（細断屑）は、装置下部に設けられた屑容器１６に落下する。
　【００２８】
　上述の紙葉細断装置において、本発明では、従来の場合と異なり、図２乃至図４に示すように、フラットカッタ９は、スパイラルカッタ８の上側に配設されている。また、フラットカッタ９は、カッタローラ３，４により切断された紙３０が排出される切断排出口２０の上方に配設されている。
　【００２９】
　フラットカッタ９は、スパイラルカッタ８の上方空間に設置された上側ベース２１にボルト２２によって固着されている。スパイラルカッタ８の上方空間には種々の部品を設置する必要がないため、上側ベース２１は必要な強度剛性が得られるように厚さと大きさを確保することが可能であり、この結果、フラットカッタ９を上側ベース２１に強固に固着することにより、スパイラルカッタ８とフラットカッタ９との間のギャツプを一定の間隔に維持することが可能になり、スパイラルカッタ８とフラットカッタ９とによる切味の耐久性に維持することができる。
　【００３０】
　スパイラルカッタ８は、図５乃至図７に示す従来の場合とは逆方向であって上方に刃を向けて回転させられる。スパイラルカッタ８は、図２乃至図４において紙面内で時計方向２４に回転し、スパイラルカッタ８の刃と刃の間に形成されるポケット２３は時計方向に移動する。
　【００３１】
　スパイラルカッタ８が図２乃至図４に示すように配設され回転するため、スパイラルカッタ８とフラットカッタ９とによって切断された細断片３２は、従来の場合と異なり、図４に示すように、紙３０の終わり部分をフラットカッタ９上に不自然に溜めることを無くすることができ、自然落下させてスパイラルカッタ９のポケット２３に収納して排出することができ、この結果、無理に過負担な細断をすることがなくなりスパイラルカッタ８とフラットカッタ９への負担を軽減することができる。
　【００３２】
　また、フラットカッタ８はカッタローラ３，４により切断された紙３０が排出される切断排出口２０の上方に配設されているので、カッタローラ３，４によって細断された細断片３２は、図７に示す従来の場合と異なり、カッタローラ３，４とフラットカッタ８との間に紙片が詰まることをなくなり、細断中にブレーキが掛かるようなことを解消することができる。
　【００３３】
　また、細断片３２を屑容器１６へ排出することについても、スパイラルカッタのポケット２３に入った屑はスパイラルカッタ８のポケット２３内に収納されスパイラルカッタ８の回転力によって回転案内されて機体中央部に向かうよう排出されるため、屑容器１６の中央に細断屑が溜まるようにでき、従来のように機械後部に偏って細断屑が溜ることによって屑容器１６の箱後部へ屑が飛散するようなことを解消することができる。
　【００３４】
　また、投入口２に投入した紙３０が厚過ぎたりしたために細断に無理があるときにモータ１３を逆転して一部細断しかけた紙３０を戻す必要がある。この場合、回転軸１０にはギア１５との間でワンウェイクラッチ２７が装着されているので、モータ１３を逆転させたときにカッタローラ３，４のみを逆回転させスパイラルカッタ８を回転しないようにすることができる。これによって、スパイラルカッタ８が逆転することによってスパイラルカッタ８とフラットカッタ９の刃先の間に細断片３２が挟まれてしまうことを防止でき、スパイラルカッタ８とフラットカッタ９のギャップを常に最適な状態に維持することができ、切れ味の耐久性を格段に高めることができる。
　【００３５】
　【発明の効果】
　以上のように、本発明の構成によれば、フラットカッタは、スパイラルカッタの上側に配設されているので、あるいはフラットカッタは、一対のカッタローラにより切断された紙葉類が排出される切断排出口の上側に配設されているので、フラットカッタを固定するベ一ス部分やフレーム全体を十分な強度剛性を有するように設けることが可能になり、スパイラルカッタとフラットカッタとの間のギャツプを安定して一定の間隔に維持することが可能になり、スパイラルカッタとフラットカッタとによる切断性能の耐久性を得ることができる。
　【００３６】
　また、スパイラルカッタは、スパイラルカッタからフラットカッタに向かう方向に回転するように配設されているので、カッタローラによって細断された細断片は、カッタローラとフラットカッタとの間に紙片が詰まることをなくなり、細断中にブレーキが掛かるようなことを解消することができる。
　【００３７】
　スパイラルカッタは、一対のカッタローラにより切断された紙葉類がスパイラルカッタの刃と刃の間に形成される凹状のポケット部によって受けられるように配設されているとともにポケット部がスパイラルカッタからフラットカッタに向かう方向に回転するように配設されているので、スパイラルカッタとフラットカッタとによって切断された細断片は、紙葉類の終わり部分をフラットカッタ上に不自然に溜めることを無くすることができ、自然落下させてスパイラルカッタのポケットブ部に収納して排出することができ、この結果、無理に過負担な細断をすることがなくなりスパイラルカッタとフラットカッタへの負担を軽減することができる。
　【００３８】
　また、フラットカッタはカッタローラにより切断された紙葉類が排出される切断排出口の上方に配設されているので、フラットカッタ上に細断片が重なることを防止でき、フラットカッタ上に細断片が重なったままスパイラルカッタとフラットカッタとによって細断されることがなく、一度に細断する紙葉類枚数が部分的に増えたりして大きな振動を伴って細断することがなくなり、スパイラルカッタとフラットカッタカッタの摩耗を早めて寿命を短くなることを防止できる。
　【００３９】
　また、スパイラルカッタは、一対のカッタローラと連動して、正転方向に回転可能であるが逆転方向には回転不能に配設されているので、スパイラルカッタが逆転することによってスパイラルカッタのポケットに収納された細断片がスパイラルカッタとフラットカッタの刃先の間に挟まれてしまうことを防止でき、スパイラルカッタとフラットカッタのギャップを常に最適な状態に維持することができる。
【図面の簡単な説明】
　【図１】
　本発明に係る紙葉細断装置の一対のカッタローラとスパイラルカッタとフラットカッタの配置関係を示す図。
　【図２】
　本発明に係る紙葉細断装置のスパイラルカッタとフラットカッタの位置関係を示す図。
　【図３】
　本発明に係る紙葉細断装置における細断片の移動状況を示す図。
　【図４】
　本発明に係る紙葉細断装置において一対のカッタローラから排出された最後の細断片の移動方向を示す図。
　【図５】
　従来の紙葉細断装置におけるスパイラルカッタとフラットカッタの配置関係を示す図。
　【図６】
　従来の紙葉細断装置におけるスパイラルカッタとフラットカッタの細断片の移動状況を示す図。
　【図７】
　従来の紙葉細断装置において細断片がフラットカッタとカッタローラの間に挟まれることを示す図。
　【図８】
　一対のカッタローラを示す図。
　【図９】
　スパイラルカッタを示す図。
　【符号の説明】
　２　投入口
　３、４　カッタローラ
　８　スパイラルカッタ
　９　フラットカッタ
　１２，１４、１４ａ、１５　ギア
　１３　　モータ
　２０　切断排出口
　２１　上側ベース
　２３　ポケット
　２７　ワンウェイクラッチ